(57)【特許請求の範囲】
【請求項１】
通信装置でコンテンツを受信し同期するためのシステムであって、
第１のチャネルを介して前記通信装置に第１のコンテンツを提供するように構成されたソースであり、前記通信装置のホストへ第２のコンテンツを送信するように構成されている、ソースと、
第２のチャネルを介して前記通信装置に前記第２のコンテンツをプッシュするように構成された前記通信装置の前記ホストであり、前記第２のチャネルは前記第１のチャネルとは別個で独立している、ホストと、
前記通信装置の行動履歴を加味するように構成され、それに応じて前記通信装置を分析して前記通信装置へプッシュされる関連ある第２のコンテンツを決定する適応型システムと、を備え、
動作時、前記第１のコンテンツと前記第２のコンテンツは、前記第２のコンテンツが同期キューであるか否か確認された後に、前記同期キューに基づいて前記通信装置で前記通信装置のプレゼンテーション層を介して同期され、当該同期キューは前記通信装置への前記第１のコンテンツの前記ソースにより生成されている、システム。
【請求項２】
前記通信装置のユーザに固有の情報を保持したユーザプロフィールデータベースをさらに備え、前記プロフィールデータベースは、前記第２のコンテンツに付加されるユーザ固有の情報を前記第２のチャネルにプッシュするように構成される、請求項１に記載のシステム。
【請求項３】
前記ソースが、ラジオ放送、アナログＴＶ、デジタルＴＶ、又は衛星フィードである、請求項１に記載のシステム。
【請求項４】
前記ホストが遠隔通信キャリアであり、前記通信装置がモバイル装置である、請求項１に記載のシステム。
【請求項５】
前記第１のコンテンツに関連する位置情報を前記第２のチャネルから前記通信装置にプッシュする、位置に基づくサービスを備える、請求項１に記載のシステム。
【請求項６】
通信装置でコンテンツを受信し同期するための方法であって、
ソースから第１のチャネルを介して第１のコンテンツを前記通信装置で受信するステップと、
前記通信装置に対して第２のコンテンツをプッシュするように構成された前記通信装置のホストへ前記ソースから前記第２のコンテンツを送信するステップと、
前記ホストから第２のチャネルを介して前記第２のコンテンツを前記通信装置で受信するステップであり、前記第２のチャネルは前記第１のチャネルとは別個で独立している、ステップと、
前記通信装置の行動履歴を加味することによって前記通信装置を分析するステップであり、それに応じて前記通信装置へプッシュされる関連ある第２のコンテンツを決定する、ステップと、
前記受信した第２のコンテンツが同期キューであるか否か確認された後に、前記通信装置のプレゼンテーション層を介して前記第１のコンテンツと前記第２のコンテンツを同期するステップであって、当該同期するステップが前記通信装置への前記第１のコンテンツの前記ソースにより生成される前記同期キューによって容易にされている、ステップと、
を含む方法。
【請求項７】
前記通信装置のユーザに固有の情報をユーザプロフィールデータベースから受け取り、同期の前に前記通信装置のユーザに固有の前記情報を前記第２のコンテンツに付加するステップをさらに含む、請求項６に記載の方法。
【請求項８】
前記ソースが、ラジオ放送、アナログＴＶ、デジタルＴＶ、又は衛星フィードである、請求項６に記載の方法。
【請求項９】
前記ホストが遠隔通信キャリアであり、前記通信装置がモバイル装置である、請求項６に記載の方法。
【請求項１０】
前記第１のコンテンツと前記第２のコンテンツを同期する前に、前記受信された第２のコンテンツがイベント識別子であるか、同期キューであるか、又は再生中の歌に関する詳細であるかを確認するステップを含む、請求項６に記載の方法。
【請求項１１】
通信装置内のデータプロセッサによって実行されると、請求項６〜１０いずれか一項に記載の方法を前記通信装置に行わせる複数のデータプロセッサ実行可能命令を備えたコンピュータプログラム。
【発明の詳細な説明】
【技術分野】
【０００１】
本発明は、通信装置でコンテンツを受信し、同期するためのシステム及び方法に関する。本システム及び方法は、これに限定されないが、通信装置のユーザが同調しているラジオ放送等の放送コンテンツに関連するプッシュコンテンツに特に適し、本文脈で説明する。
【０００２】
本明細書を通じて、文脈上他の意味に解釈すべき場合を除き、単語「〜を備える（comprise）」又は「備えた（comprises）」や「備えている（comprising）」等の変化形は、記載される整数又は整数の群が包含されることを示唆するが、その他の整数又は整数の群の排除を示唆するものではないものと理解される。
【０００３】
さらに、本明細書を通じて、文脈上他の意味に解釈すべき場合を除き、単語「〜を含む（include）」又は「含んだ（includes）」や「含んでいる（including）」等の変化形は、記載される整数又は整数の群が包含されることを示唆するが、その他の整数又は整数の群の排除を示唆するものではないものと理解される。
【背景技術】
【０００４】
以下の本発明の背景の説明は、本発明の理解を助けることのみを目的とする。この説明は、その中で言及される題材がいかなる法的範囲においても本発明の優先日の時点で公表されていた、又は公知であった、又は当業者の共通の一般的知識の一部であったという肯定又は承認ではないことを認識されたい。
【０００５】
ラジオ放送コンテンツを提供する現在の従来技術のシステム及び方法は、一般に均質的である。つまり、通常コンテンツとプッシュコンテンツが１つのチャネルを介してユーザに送信される。例えばインターネットラジオは、通常コンテンツ（歌、楽曲等）とプッシュコンテンツ（再生リスト、広告等）の両方をインターネットプロトコル（ＩＰ）ネットワークを通じて配信する。単一チャネルを利用する観点から、コンテンツの送信時に何らかの形態の符号化又は埋め込みコードを介して通常コンテンツをプッシュコンテンツから区別しなければならない。その後、符号化されたコンテンツ及び埋め込まれたコンテンツは、受信側で復号又は展開される。そのような符号化／埋め込みとその後の復号／展開は一定量の帯域幅を必要とし、またシステムの費用対効果に影響する可能性もある。
【０００６】
本発明は、上記問題を緩和するシステム及び方法を提供しようとするものである。
【発明の概要】
【０００７】
本発明の第１の態様によれば、通信装置でコンテンツを受信し同期するためのシステムが提供され、このシステムは、第１のチャネルを介して通信装置に第１のコンテンツを提供するように構成されたソースと、第２のチャネルを介して通信装置に第２のコンテンツをプッシュするように構成された通信装置のホストであって、第２のチャネルは第１のチャネルとは別個で独立している、ホストとを備え、動作時、第１のコンテンツと第２のコンテンツは、通信装置で通信装置のプレゼンテーション層を介して同期される。
【０００８】
好ましくは、第１のコンテンツと第２のコンテンツは、通信装置への第１のコンテンツのソースにより生成される同期キュー（cue）に基づいて通信装置で同期される。
【０００９】
好ましくは、システムは、通信装置のユーザに固有の情報を保持したユーザプロフィールデータベースを備え、プロフィールデータベースは、第２のコンテンツに付加されるユーザ固有の情報を第２のチャネルにプッシュするように構成される。
【００１０】
好ましくは、ソースは、ラジオ放送、アナログＴＶ、デジタルＴＶ、又は衛星フィードである。
【００１１】
好ましくは、ホストは遠隔通信キャリアであり、通信装置はモバイル装置である。
【００１２】
好ましくは、システムは、第１のコンテンツに関連する位置情報を第２のチャネルから通信装置にプッシュする、位置に基づくサービスを備える。
【００１３】
本発明の第２の態様によれば、通信装置でコンテンツを受信し同期するための方法が提供され、この方法は、ソースから第１のチャネルを介して第１のコンテンツを通信装置で受信するステップと、通信装置のホストから第２のチャネルを介して第２のコンテンツを通信装置で受信するステップであって、第２のチャネルは第１のチャネルとは別個で独立している、ステップと、通信装置のプレゼンテーション層を介して第１のコンテンツと第２のコンテンツを同期するステップとを含む。
【００１４】
好ましくは、同期のステップは、通信装置への第１のコンテンツのソースにより生成される同期キューによって容易にされる。
【００１５】
好ましくは、方法は、通信装置のユーザに固有の情報をユーザプロフィールデータベースから受け取り、同期の前に通信装置のユーザに固有の情報を第２のコンテンツに付加するステップを含む。
【００１６】
好ましくは、ソースは、ラジオ放送、アナログＴＶ、デジタルＴＶ、又は衛星フィードである。
【００１７】
好ましくは、ホストは遠隔通信キャリアであり、通信装置はモバイル装置である。
【００１８】
好ましくは、方法は、第１のコンテンツと第２のコンテンツを同期する前に、受信された第２のコンテンツがイベント識別子であるか、同期キューであるか、又は再生中の歌に関する詳細であるかを確認するステップを含む。
【００１９】
本発明の第３の態様によれば、通信装置内のデータプロセッサによって実行されると、本発明の第２の態様に詳細に説明される方法を通信装置に行わせる複数のデータプロセッサ実行可能命令を備えたコンピュータプログラム製品が提供される。
【図面の簡単な説明】
【００２０】
以下、本発明について添付図面を参照して単なる例として説明する。
【図１】本発明の一実施形態による、通信装置でコンテンツを受信し、同期するシステムの一実施形態の概略図である。
【図２】本発明の一実施形態による、通信装置への通常コンテンツ及びプッシュコンテンツの配信の流れ図である。
【図３】本発明の一実施形態による、通信装置のプレゼンテーションレベルにおけるプッシュコンテンツの確認を説明する流れ図である。
【図４】通信装置で実装される可能なユーザインタフェースを示す図である。
【発明の実施形態の説明】
【００２１】
本発明の第１の実施形態によると、通信装置でコンテンツを受信及び同期するシステム１０がある。
【００２２】
システム１０は、ソース１２と、データベース１４と、通信装置１６、１８を支援するホスト通信ネットワーク２０とを備える。
【００２３】
ソース１２は、第１のチャネルを有するラジオ放送者である。第１のチャネルは、ソース１２の通常周波数帯域である。第１のチャネルは、特定のＦＭ帯域幅を介して通信装置１６に第１のコンテンツを放送するように構成される。第１のコンテンツは、歌や楽曲等の通常コンテンツ又は放送コンテンツとすることができる。ソース１２は、当業者に知られるようにアプリケーションを介してホスト通信ネットワーク２０に第２のコンテンツを送信するようにさらに構成される。第２のコンテンツは典型的には、再生リスト、特定の歌が再生されていることを知らせるキュー、宣伝広告、視聴者対話ツール等のプッシュコンテンツである。そのような視聴者対話ツールは、典型的にはホスト通信ネットワーク２０とソース１２間のインタフェースをとり、下記でシステム１０の動作の文脈でさらに詳しく説明する。
【００２４】
データベース１４は、加入者情報及び位置情報を記憶するために使用されるユーザプロフィールデータベースである。また、データベース１４は、位置に基づくサービスを提供するように構成することができる。
【００２５】
通信装置１６、１８は典型的にはモバイル装置であるが、下記の最低限の技術仕様を満たす通信装置であればよい。
・ショートメッセージサービス（ＳＭＳ）、マルチメディアメッセージングサービス（ＭＭＳ）、及びエクステンドメッセージングサービス（ＸＭＳ）を含むＧＳＭ
・Ｇｅｎｅｒａｌ  ｐａｃｋｅｔ  ｒａｄｉｏ  ｓｅｒｖｉｃｅ（ＧＰＲＳ）、Ｅｎｈａｎｃｅｄ  Ｄａｔａ  ｒａｔｅｓ  ｆｏｒ  ＧＳＭ  Ｅｖｏｌｕｔｉｏｎ（ＥＤＧＥ）Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）
【００２６】
通信装置１６、１８は、技術及びプロトコルが異なる通信信号を少なくとも２種受信することが可能である。
【００２７】
さらに、通信装置１６、１８は、第１及び第２のコンテンツを受信し同期するために、インストールされたソフトウェアを必要とする。ソフトウェアは通信装置１６、１８に組み込まれる。ソフトウェアは、通信装置のプレゼンテーションレベルにおけるシームレスな環境に関与する。ソフトウェアの簡略なフローチャートを図３に示し、ソフトウェアの働きについては下記のシステムの動作の文脈で説明する。
【００２８】
以下本発明についてその動作例の文脈で説明するが、この例では、通信装置１６、１８はホスト通信ネットワーク２０の配下にあるモバイル装置である。ホスト通信ネットワーク２０は典型的には、ＧＳＭネットワークとＩＰネットワーク（例えばＧＰＲＳ）の両方に対応することが可能な移動通信キャリアである。本例では、通信装置１６、１８はＦＭチューナを備える。
【００２９】
ラジオ（ＦＭ）放送者１２は何らかの楽曲を再生しており、それに通信装置１６が現在同調している。再生リストの各曲が再生されるのに合わせて、ＦＭ放送者１２は、ＩＰネットワークを通じてホスト通信ネットワーク２０にプッシュコンテンツを送信する。
【００３０】
ＦＭ放送者１２がホスト通信ネットワーク２０に送信するプッシュコンテンツは、特に、アーティスト名や、曲名、歌の長さ等の再生中の歌についての詳細、イベント識別子、広告等を含んでいる。
【００３１】
ホスト通信ネットワーク２０は、モバイル装置１６にプッシュコンテンツをプッシュする。このプッシュは、歌や楽曲を放送する第１のチャネルから独立した別の第２のチャネルを介して行われる。第２のチャネルは、ホスト通信ネットワーク２０のＧＳＭネットワーク又はＩＰネットワークである。プッシュコンテンツに加えて、プッシュコンテンツの結果として作成される可能性のある付加プッシュコンテンツも送信することができる。
【００３２】
例えば、プッシュコンテンツが、現在その局が特定ブランドの靴についての広告を放送していることを示すイベント識別子である場合は、上記付加プッシュコンテンツは、その特定ブランドの靴にタグ付けされた画像又は動画の形態とすることができる。したがって、モバイル装置１６のユーザは、聴取体験を適切な視覚で増強することができる。
【００３３】
ユーザ体験をさらに強化し、ホスト通信ネットワーク２０からモバイル装置１６にプッシュされるコンテンツの関連性を高めるために、ホスト通信ネットワーク２０は、モバイル装置１６のユーザ専用のユーザプロフィールデータベース１４から付加プッシュコンテンツを取得する。そして、ユーザプロフィールデータベース１４から取り出したそのような付加プッシュコンテンツを、ＦＭ放送者１２のプッシュコンテンツ（例えば再生リスト）と組み合わせる。次いでホスト通信ネットワーク２０は、一定の規則及び運営者によって規定された他の基準に従って上述の組み合わせで得られた複合プッシュコンテンツをモバイル装置１６にプッシュを開始する。規則の一例は以下の通りである。
【００３４】
ＦＭ放送者１２はその日の再生リストを保持し、それに従って放送が行われるとする。現在放送中の歌は「歌Ａ」とし、モバイル装置１６に通常コンテンツとして受信される。「歌Ａ」が再生される時に、ＦＭ放送者１２は、キュー又は同期データをプッシュコンテンツとして送信する。再生リストはプッシュコンテンツとして先に送信されているものとし、「歌Ａ」が再生されると電話機がその曲名、アーティスト名、及び他の関連情報を表示するように、再生リストがキュー又は同期データと相互参照される。（これは規則の一例である。なぜならば、適用される規則に応じて、曲名、アーティスト名等以外の情報も表示することができるからである。）
【００３５】
説明のために、ホスト遠隔通信ネットワーク２０はレコード店との間にすでに契約を結んでおり、同期されたデータに基づいて、「歌Ａ」を収録したアルバムが購入可能であることをモバイル装置１６を通じて知らせることができる。モバイル装置１６内の加入者識別モジュール（ＳＩＭ）が電子マネー製品と結合されていれば、モバイル装置１６のユーザは「購入する」をクリックするだけで購入処理が行われる（これは運営者規定の基準の一例である。）。アルバムの購入を提案する代わりに、別の運営者規定基準は「歌Ａ」に関連するイベントであり、これを位置に基づくサービス又は加入者プロファイリングデータベースと組み合わせることができる。例えば、何人かのユーザが同じ局に同調し、同じ歌を聴いているが、そのうち、「歌Ａ」を歌ったアーティストが訪問イベントを行うモールイベントの場所の近くにいる者はわずかしかいないとする。それらのユーザに訪問イベントを知らせることができる。
【００３６】
上記構成では、ホスト通信ネットワーク２０は、モバイル装置１６に今後についての勧告又は予告を提供することができる。ホスト通信ネットワーク２０からプッシュされたコンテンツに基づき、モバイル装置１６は、その後のモバイル装置１６のユーザの行動を加味してより関連性の高いコンテンツを配信することが可能な適応型システムをさらに用いることもできる。適応型システムは、ユーザの行動履歴に基づいてユーザに適応するシステムである。適応型システムは、過去のシステムとのユーザ対話からユーザの人物像を分析し、それに応じてシステムが適応する。例えば、選択肢（「はい」、「いいえ」、及び「参加しない」）の中から「参加しない」のボタンを選択する等、ユーザがラジオ局によって実施される意見投票に参加することに関心がないように思われる場合は、ユーザの過去の行動からその傾向をシステムが学習することができる。ユーザが意見投票に煩わされたくないことが確認されると、システムは、意見投票をオフにし、後に希望する場合には再開できることをユーザに知らせ、その選択肢を再開する方法についての概略的な指示を与える。一方、意見投票はオフにした上で、システムは曲のリクエストや進呈（dedication）等の他の選択肢はユーザに提示し続ける。ユーザがリクエスト及び進呈機能の使用を好むと適応型システムに見なされると、そのためのインタフェースが上述の投票に取って替わる。
【００３７】
ホスト通信ネットワーク２０及び放送者１２からコンテンツを受信すると、モバイル装置１６のユーザは、放送者１２が放送した歌や楽曲を聴くことができ、それと同時にホスト通信ネットワーク２０からアーティスト名や曲名、歌の長さ等の歌又は楽曲についての情報を受け取る。再生リストは次に再生される歌又は曲をすでに予想することができるが、第２のチャネル（この場合はホスト通信ネットワーク２０とモバイル装置１６間の通信のチャネル）が第１のチャネル（この場合は放送者１２）と同期されているという保証はないことが理解されよう。この問題は、各歌が再生されてホスト通信ネットワーク２０を通じてモバイル装置１６に送信される時にＦＭ放送１２によって生成される同期キューで対処することができる。
【００３８】
システム１０は、モバイル装置１６のユーザと対話するようにさらに構成することができる。一例として、ＦＭ局１２の放送者が、局に同調している聴取者に簡単な投票を実施しようとし、聴取者の一人がモバイル装置１６のユーザであるとする。通常の電話による番組参加及びＳＭＳによる投票に代えて、放送者は単にアクション可能オブジェクトを送出し、そのオブジェクトが、現在同調している聴取者にディスクジョッキーが実施したい質問を尋ねることができる。そして、モバイル装置１６のユーザは、モバイル装置１６を通じて、単に肯定又は否定の回答を返すことができる。モバイル装置１６のユーザは、参加しないことを選択し、単に投票を見送ることもできる。
【００３９】
モバイル装置１６のユーザには、ＦＭ放送１２からの通常コンテンツ若しくはホスト通信ネットワーク２０からのプッシュコンテンツ、又はその両方をモバイル装置１８又は任意数の同様の他の装置と共有する選択肢がさらに与えられる。そのようなコンテンツの共有は、通信ネットワーク２０を通じて、又はモバイル装置１８との間の直接の有線又は無線の接続を通じて行うことができる。共有は、アクション可能オブジェクトを介して、同じ周波数帯域に同調するよう促す招待、製品の購入又は加入を促す招待、関連するディスカッションに参加するよう促す招待等の形で行うこともできる。
【００４０】
モバイル装置１６のユーザがモバイル装置１８のユーザに招待を送信すると、モバイル装置１８のユーザは、当業者に知られる方式で、動作を促されるか、又は招待を通知される。モバイル装置１８のユーザが招待に対して肯定の返答をすると、モバイル装置１８のチューナが一時的にアクション可能オブジェクトによって制御され、自動的にモバイル装置１６と同じ周波数帯域に同調する。
【００４１】
ＦＭ放送者１２及び２０から生じる第１のチャネルと第２のチャネル間の視聴者対話ツールの働きは、ＦＭ放送者１２がリクエストと進呈を受け付ける場合について、以下のようにさらに説明することができる。
【００４２】
現在の技術では、ユーザが番組に電話をかけるか、ＳＭＳ／ＭＭＳを送信するか、電子メールを送信するか、手紙を送付するか、又は直接局に立ち寄ってリクエストをする。システム１０では、ラジオから放送が流れるのに合わせて、リクエスト又は進呈をするためのインタフェースがユーザに提示される。このインタフェースは、局がリクエスト及び進呈の受け付けに対応する場合にのみ利用可能とされる。ユーザが誰かに歌を進呈したい場合、ユーザはインタフェースを使用して単に「この歌を贈る」のボタンを押すことができ、すると電話帳が呼び出され、ユーザはそこから受信者を選択することができる。処理が完了すると、電話機は進呈リクエストをラジオ局に送信して無線によるその受信通知を求め、それと同時にラジオ局は、ホスト通信ネットワーク２０を通じて、進呈の相手にその歌が進呈されたことを通知することができる。進呈を行ったユーザは、同じインタフェースを使用して自分が誰であるかを知らせるか、又は単に匿名のままとする選択肢も与えられる。この実例では、放送チャネルがコンテンツを放送する一方で、ホスト通信ネットワーク２０のＩＰチャネルが、例えばインターネットのチャットメッセージング等を介して、相手に歌の進呈を通知する。
【００４３】
これらの視聴者対話ツールは、リクエスト及び進呈のインタフェースに限定されず、聴取者に対する意見投票（その場合、ユーザは単に特定の投票に対する回答をキー入力することができる）、ゲーム（その場合、ユーザは電話機を通じて単語当てゲームやＱ＆Ａ等のゲームショーに参加するように求められる）等の他の対話式ツールも含む。
【００４４】
本発明の第２の実施形態によると、図２のフローチャートに示すようにコンテンツを通信装置に提供する方法がある。この方法は、第１の実施形態で説明したシステム１０で動作するのに適する。
【００４５】
この方法は、ＦＭチャネルを持つラジオ放送者等の提携先情報ソースからの通常コンテンツ２４とプッシュコンテンツ２６の２種類のコンテンツを扱う。通常コンテンツ２４は、モバイル装置等の通信装置に直接送信され、その後モバイル装置に受信される（ステップ３２）。通常コンテンツの送信は、インターネットプロトコル等の無線又は有線の伝送チャネルである第１のチャネルを介して行われる。
【００４６】
通常コンテンツ２４がモバイル装置に送信されるのと同時に、第１のチャネルと異なる第２のチャネルを介してプッシュコンテンツ２６を送信させることができる。説明のために、第２のチャネルは、モバイル装置が加入者である遠隔通信チャネルであるとする。プッシュコンテンツ２６がモバイル装置に受信される（ステップ２８）。その後、プッシュコンテンツ２６が処理される（ステップ３０）。プッシュコンテンツ２６の処理は、ユーザ固有の情報及び嗜好を含むことができ、それらは同様のデータベース又は位置に基づくサービス１４から取得することができる。
【００４７】
モバイル装置でコンテンツ２４、２６を受信すると、出力される通常コンテンツ３４と出力される処理後コンテンツ３６を同期するように構成されたシームレスなプレゼンテーション層がある。プレゼンテーション層は、異種のチャネルがコンテンツの有意義な通信／コンテンツの収束に関与できるようにするためのデータ符号化の変換等の機能に関連する。データ符号化の変換の一例は、ＭＰ３のデジタルオーディオストリームが再生時にアナログオーディオ（ＰＣＭオーディオ）に変換されるものである。通常コンテンツ２４はプッシュコンテンツ２６から分離された状態に保たれることを理解されたい。また、プッシュコンテンツは通常コンテンツに関連、依存し、通常コンテンツに応じて決まってもよいことを理解されたい。
【００４８】
上記のシステム１０は、モバイル装置１６のユーザの視点から見てシームレスなユーザ体験を与える収束プラットフォームを提供する。
【００４９】
上記の両実施形態では、モバイル装置１６及び／又は１８のプレゼンテーションレベルにインストールされたソフトウェアが、プッシュされたコンテンツがあるかどうかを以下の要領で確認するように構成される（図３を参照されたい）。
【００５０】
無料コンテンツの提供者、この例ではＦＭ局に同調すると、電話機は、局側アプリケーションとのハンドシェークを送信する。次いで、プッシュコンテンツがモバイル装置１６にプッシュされ、これは初期化段階とも呼ばれる。この初期化段階で、再生リストがモバイル装置１６に送信される。再生リストはＦＭ局で局側アプリケーションを使用して放送者によって作成される。再生リストへのデータ取り込み時に、歌コードがその場で生成される。その後再生リストは放送のためにローカルシステムに記憶されるが、局側アプリケーションはこの再生リストにアクセスすることができる。送出時に、再生リストは、特に曲名、アーティスト、アルバム、及び歌のコード等のすべての関連メタデータを含んでいる。
【００５１】
携帯電話１６のインストールされたソフトウェア（説明のために「ウィジェット」とする）は、まずプッシュデータがあるかどうかを確認する（ステップ３０２）。プッシュされたデータが再生リストである場合は、その再生リストが適宜処理され、表示される（ステップ３０４）。コンテンツは、歌についてのさらなる情報、意見投票の質問、可能な選択肢（通常は不参加の選択肢（opt-out）又はキャンセルを含むブール選択肢）等の場合もある。一方、プッシュされたデータが上述の再生リストや歌についての情報等のコンテンツでない場合は、同期キューであるかどうかが確認される（ステップ３０６）。同期キューである場合は（同期キューは何らかの機能識別子又はヘッダに歌コードを付加した形で送信される）、再生リストに探索クエリが行われる（ステップ３０８）。同期キューは、局側のアプリケーションにより、放送する歌又は項目ごとに送出され、磁気テープ技術の時代のレコード間ギャップと同様の機能を果たすことに留意されたい。同期キューと再生リストの歌コードとの一致が見つかると、再生リストポインタが更新され、該当する曲名やアーティスト名等の関連情報が表示される（ステップ３１０）。プッシュされたデータがコンテンツでも同期キューでもない場合は、イベント識別子であることになる（ステップ３１２）。これは、ラジオ局が放送で恐らくは歌ではなく広告を流していることを意味する。これはまた、ラジオ局がディスクジョッキーの短いコメント等の番組のつなぎを行っている可能性があることも意味する。広告が再生されている場合は、電話機はその広告に関連する視覚を表示する。例えば、人気のあるソーダの広告が再生されている場合は、その広告のグラフィックバージョン、スライドショー、或いは動画等の視覚で聴取体験が強化される。一方、局が、視聴者と放送者の対話等の番組のつなぎを流している時は、他のコンテンツが画像に取って代わることができる。そのようなコンテンツは例えば投票であり、その場合ユーザは放送でディスクジョッキーが実施する投票の質問に容易に参加して回答することができる。
【００５２】
図４は本発明の実施のスクリーンショットによる例示であり、この場合通常コンテンツは無料コンテンツであり、この例ではＦＭラジオ局の放送である。局の識別１００は、この場合は局のＦＭ周波数（９２．３）と、局のハンドル又は局名「ラジオ局」として示される。インタフェースはアクション可能画面オブジェクト１０１を表示し、オブジェクトに触れるか（タッチフォンの場合）又は選択する（キーパッド式の電話機の場合）と、どちらのオブジェクトが接触又は選択されるかに応じて、周波数が低い又は高い方の次の局に同調する。現在局によって再生されている歌又は楽曲についての情報１０２は、歌の題（「Ｐｏｋｅｒ  Ｆａｃｅ」）及びアーティスト名（「Ｌａｄｙ  Ｇａｇａ」）を含むことができる。この情報は、ＦＭ局が自局の周波数帯で放送するものではない。局が副チャネルを使用してこの情報を電話機にプッシュする。
【００５３】
その日の再生リスト１０６はすでにディスクジョッキーによって作成されている可能性があり、同じ情報がすでに先に電話機に送信されているが、再生リストの何番目の歌までがすでに再生されているのかを電話機が知る方法はない。そのため、同期を実現するために、ディスクジョッキーが歌を再生するのに合わせて、対応するキューが電話機に送信される。すると、電話機は、事前に読み込まれた再生リスト中のどの歌が現在再生されているかが分かる。キューは無料コンテンツと同じチャネルで送信されるのではなく、ホスト通信ネットワークのＩＰネットワークやＧＳＭネットワーク等である副チャネルで送信されることに留意されたい。このようにして電話機は現在放送中のコンテンツ／歌／楽曲を知る手段を得たため、広告１０３等の関連コンテンツをユーザにプッシュすることができる。それらの広告は対話式の広告とすることができ、接触又は選択されると、（ａ）広告の対象物についてより詳しいことを知る、又は（ｂ）広告主と対話するためのインタフェースをユーザに提供することができる。ユーザが、アルバム等の歌に関連する商品を購入するためのさらなるインタフェース１０４があってもよい。購入の選択肢を接触又は選択すると、容易に商品を無線式に（over-the-air）購入することができる。無線式の支払いも同様にして組み込むことができる。一方、共有のためのボタン１０５がさらにあってもよく、このボタンが接触又は選択されると、所望の受信者を特定するようユーザを促す。この時点で電話帳を呼び出すことができ、共有の招待の受信者を選択するためのチェックリストインタフェースがユーザに提示される。それにより、その後、装置から所望の相手に共有の招待が送信され、その相手が共有の招待を承認すると、各自の電話機が共有されるラジオ局の周波数帯域に自動的に同調する。
【００５４】
上記で、装置にプッシュされる無料コンテンツとその他のコンテンツが２つの別個の異なるチャネルを通じて装置に配信されることがユーザに対して透過であるシームレスな環境をさらに説明した。
【００５５】
本出願人は、第１のチャネルと第２のチャネルの分離により、少なくともコスト効率の利点が得られることを認識した。これは、第１のチャネルすなわち通常コンテンツは、無料のラジオやＴＶ放送、衛星フィード等の無料コンテンツであるためである。これにより、運営者のＧＳＭネットワークの負荷が軽減される。そのようなコンテンツが高費用のホスト通信ネットワークのネットワークを通る代わりに、モバイル装置はそれらのコンテンツを自由に利用できるチャネルで受信する。モバイル装置は、そのコンテンツをＧＳＭネットワークからのコンテンツ、すなわちプッシュコンテンツと組み合わせ、図３に提供するシームレスな環境でユーザに提示する。
【００５６】
ここに記載されるシステム及び方法はさらに、友人同士は例えば似たような歌／楽曲を好む（又は関心がある）傾向があるという前提で、友人間でコンテンツを容易に共有することを可能にする。２つの別個のチャネルの利用により、ユーザは、放送される歌の品質に影響することなく、別個の第２のチャネルを介して放送されている歌を知らせる／共有する／進呈することができる。再生中の歌は典型的には放送チャネルを介し、通例は無料であるため、ユーザの観点からもコストが低減される。
【００５７】
当業者には、本発明は上記の実施形態に限定されないことを理解されたい。例えば、記載の本発明は以下の改変及び／又は追加を含むことができる。
・ラジオ放送者１２は、ラジオ又はテレビの放送者、ケーブルサービス、プレミアムコンテンツの提供者等の任意の情報ソースでよく、チャネルは、当業者に知られるすべての種類の伝送を含むことができる。
・通信装置１６、１８はインターネットを利用した通信に使用することができ、通信装置１６、１８はホスト通信ネットワーク２０に接続されることができるが、同様に任意の有線又は無線の通信プロトコルを通じてピアに接続することもできる。
・通信装置１６、１８は、最低限の技術的仕様を満たす任意の通信装置に置き換えてもよい。さらにスマートフォンであってもよい。
・ホスト通信ネットワーク２０は任意の有線又は無線ネットワークとすることができる。
・プッシュされるコンテンツは、ターゲット広告を含んでよい。さらに、そのようなプッシュコンテンツは、キュレートされた（curated）体験と連携させることができ、又は提案型マーケティングに基づくことができる。
・ホスト通信ネットワーク２０は、ユーザの挙動を監視して、処理と機能のパターンをマーケティングキャンペーンと同化するように意図的にコンテンツをプッシュするように構成してもよい。
・ソース１２は、アナログ又はデジタルのＴＶ又はラジオ放送の伝送とすることができ、衛星フィード等の機能的均等物に置き換えてもよい。
・ホスト通信ネットワーク２０は好ましくは遠隔通信会社のネットワークであるが、インターネットやイントラネットへの無線接続、第１のチャネルと異なる別個の接続に置き換えてもよい。
・位置に基づくサービスを伴うプロフィールデータベース１４は、同じユーザによる以前の処理の記録や、入手可能な記録から導出することが可能な任意のパターン等の関連する機能均等物に置き換えることができる。
・本発明は、別の情報配信チャネルに結合され対応付けられた、ユニキャスト及びマルチキャストを含む他形態の放送を包含することができる。
【００５８】
さらに、当業者には、代案や代替でなく上記特徴の変形及び組み合わせを組み合わせて、本発明の意図される範囲に該当するさらなる実施形態を形成できることを理解されたい。
【図１】
0005914957.tif 000002
【図２】
0005914957.tif 000003
【図３】
0005914957.tif 000004
【図４】
0005914957.tif 000005